(57)【要約】【課題】従業者に誤った不正情報が伝達されにくくする。【解決手段】遊技情報表示装置６は、外部から遊技機７の前扉７２が開扉されていることを示す開扉入力信号Ｓ２を受け、開扉入力信号Ｓ２に基づいて前扉７２の開扉を通知する開扉通知信号Ｓ３を外部に出力する開扉通知部と、開扉入力信号Ｓ２とあわせて、外部から前扉７２のロック状態を解除させることを示すロック解除信号Ｓ１を受けた場合に、所定の無効期間Ｔｗの間、開扉通知信号Ｓ３を無効化させる無効化処理を行う無効化処理部とを備えている。【選択図】図２
2020058477.tif 000002
【特許請求の範囲】
【請求項１】
遊技情報を表示する遊技情報表示装置であって、
外部から遊技機の前扉が開扉されていることを示す開扉入力信号を受け、該開扉入力信号に基づいて前記前扉の開扉を通知する開扉通知信号を外部に出力する開扉通知部と、
外部から前記前扉のロック状態を解除させることを示すロック解除信号を受けた場合において、前記開扉入力信号をあわせて受け付けたときに、前記開扉通知信号を無効化させる無効化処理を行う無効化処理部とを備えている
ことを特徴とする遊技情報表示装置。
【請求項２】
請求項１に記載の遊技情報表示装置において、
前記無効化処理部は、前記無効化処理について、前記開扉入力信号を受け付けてから所定の無効期間の間は有効とし、該所定の無効期間の経過後に解除する
ことを特徴とする遊技情報表示装置。
【請求項３】
請求項１に記載の遊技情報表示装置において、
前記無効化処理部は、前記無効化処理の期間中、前記開扉通知部から出力される前記開扉通知信号の外部への出力を停止させる
ことを特徴とする遊技情報表示装置。
【請求項４】
請求項１に記載の遊技情報表示装置において、
前記無効化処理部は、前記無効化処理の期間中、前記開扉通知部から出力される前記開扉通知信号に加えて、該開扉通知信号が無効であることを示す無効化信号を外部に出力する
ことを特徴とする遊技情報表示装置。
【請求項５】
請求項１に記載の遊技情報表示装置において、
前記無効化処理部は、外部から前記前扉をロック状態にさせることを示す扉ロック信号を受けた場合、前記開扉通知信号を無効化させる処理を解除する
ことを特徴とする遊技情報表示装置。
【請求項６】
請求項１に記載の遊技情報表示装置において、
前記開扉入力信号を受けた場合に前記前扉が開扉状態であることを表示するように構成されている一方で、前記無効化処理の期間中は、前記前扉が開扉状態であっても開扉状態であることを表示しない
ことを特徴とする遊技情報表示装置。
【請求項７】
請求項１から６のうちのいずれか１項に記載の遊技情報表示装置において、
前記ロック解除信号を受信した場合に、前記遊技機に付設されたワイヤーロック装置用の印加電圧信号を出力する
ことを特徴とする遊技情報表示装置。
【発明の詳細な説明】
【技術分野】
【０００１】
本発明は、遊技情報を表示するための遊技情報表示装置に関する。
【背景技術】
【０００２】
特許文献１には、ワイヤーロック装置を用いて、遊技機の前扉の不正な開放を規制する技術が開示されている。また、特許文献１には、ワイヤーロック装置による施錠が解除された場合に、表示器（遊技情報表示装置に相当）に施錠が解除されていることを示す表示をさせたり、センタコンピュータ（管理コンピュータに相当）に通知したりすることが開示されている。
【先行技術文献】
【特許文献】
【０００３】
【特許文献１】特開２００４−２７５２５６号公報
【発明の概要】
【発明が解決しようとする課題】
【０００４】
ところで、遊技客が違法に遊技機または遊技機メーカーで共通の統一鍵を所有し、スロット機等の遊技機の前扉を開けて、コイン等を不正に取得することがある。そこで、遊技場では、遊技機の前扉が開扉されたことを示す開扉信号が管理コンピュータに送られた場合に、管理コンピュータ（管理スタッフ）からその遊技機の情報（台番号等）をホールスタッフに通知することが行われている。
【０００５】
一方で、遊技場の開店中において、ホールスタッフが業務の都合で遊技機の前扉を開く場合がある。例えば、自動補給機が設置されていないスロット遊技機では、コインを補充するたびに、ホールスタッフが遊技機の前扉を開ける必要がある。
【０００６】
そうすると、例えば、ホールスタッフが前扉を開扉する（例えば、コインを補充する）たびに、遊技機から開扉信号が出力されるので、ホールスタッフへは、その都度、不正情報ではない誤った情報が与えられることになる。ホールスタッフが、前扉の開扉前にインカム等で伝達することも考えられるが、非常に面倒であるとともに、伝え忘れることもありえる。そして、誤った情報が多すぎると、不正情報がその誤った情報に埋もれてしまう恐れがある。
【０００７】
上記の点に鑑み、本発明の目的は、ホールスタッフ等の従業者に誤った不正情報が伝達されにくくするための機能を有する遊技情報表示装置を提供することにある。
【課題を解決するための手段】
【０００８】
本発明の一態様に係る、遊技機の遊技情報を表示する遊技情報表示装置は、外部から前記遊技機の前扉が開扉されていることを示す開扉入力信号を受け、該開扉入力信号に基づいて前記前扉の開扉を通知する開扉通知信号を外部に出力する開扉通知部と、外部から前記前扉のロック状態を解除させることを示すロック解除信号を受けた場合において、前記開扉入力信号をあわせて受け付けたときに、前記開扉通知信号を無効化させる無効化処理を行う無効化処理部とを備えていることを特徴とする。
【０００９】
本態様の遊技情報表示装置は、ロック解除信号を受けた場合（例えば、従業者が遊技機の前扉を開扉している場合）に、開扉通知信号を無効化させるようにしている。これにより、従業者に対して誤った不正情報が伝達されるのを防ぐことができる。
【００１０】
前記無効化処理部は、前記無効化処理について、前記開扉入力信号を受け付けてから所定の無効期間の間は有効とし、該所定の無効期間の経過後に解除するようにしてもよい。
【００１１】
このように、所定の無効期間の経過後に、開扉通知信号の無効化処理を解除することで、再び開扉通知信号を出力するようになる。これにより、不正情報が適切に通知される状態に戻すことができ、従業者に対してより的確に不正情報を伝達することができる。
【００１２】
前記無効化処理部は、前記無効化処理の期間中、前記開扉通知部から出力される前記開扉通知信号の外部への出力を停止させるようにしてもよい。
【００１３】
このように、開扉通知信号の出力を停止させることで、外部（例えば、管理コンピュータ）に遊技機の前扉が開扉された情報が伝達されないので、従業者に対して誤った不正情報が伝達されるのを防ぐことができる。
【００１４】
前記無効化処理部は、前記無効化処理の期間中、前記開扉通知部から出力される前記開扉通知信号に加えて、該開扉通知信号が無効であることを示す無効化信号を外部に出力するようにしてもよい。
【００１５】
このように、無効化信号を外部に出力することで、無効期間であることを明示することができ、外部機器（例えば、管理コンピュータ）において、無効期間の間、従業者に対して誤った不正情報が伝達されるのを防ぐことができる。
【００１６】
前記無効化処理部は、外部から前記前扉をロック状態にさせることを示す扉ロック信号を受けた場合、前記開扉通知信号を無効化させる処理を解除するようにしてもよい。
【００１７】
上記態様の遊技情報表示装置では、無効期間内であっても、扉ロック信号を受けた場合、すなわち、前扉がロック状態になると、再び開扉通知信号を出力するようになる。これにより、例えば、従業者が前扉をロックした後に、不正遊技者が前扉を開扉した場合には、開扉通知信号を外部（例えば、管理コンピュータ）に通知することができる。
【００１８】
前記遊技情報表示装置は、前記開扉入力信号を受けた場合に前記前扉が開扉状態であることを表示するように構成されている一方で、前記無効化期間中は、前記前扉が開扉状態であっても開扉状態であることを表示しないようにしてもよい。
【００１９】
これにより、遊技情報表示装置を視認した従業者に対して誤った不正情報が伝達されるのを防ぐことができる。
【００２０】
前記ロック解除信号を受信した場合に、前記遊技機に付設されたワイヤーロック装置用の印加電圧信号を出力するようにしてもよい。
【００２１】
これにより、ワイヤーロック装置の解除用の操作により、開扉通知信号を無効化させることができる。すなわち、ワイヤーロック装置の解除操作が、開扉通知信号を無効化のための操作を兼ねることができるので、利便性が高い。
【発明の効果】
【００２２】
本発明によると、所定の無効期間の間、開扉通知信号を無効化させる処理を行うので、従業者に誤った不正情報が伝達されにくくなる。
【図面の簡単な説明】
【００２３】
【図１Ａ】実施形態に係る遊技情報表示装置の使用状態を示すイメージ図
【図１Ｂ】実施形態に係る遊技情報表示装置の使用状態を示すイメージ図
【図２】遊技情報表示装置及び周辺装置の構成例を示すブロック図
【図３】遊技情報表示装置の正面図
【図４】遊技情報表示装置の動作を説明するためのタイミングチャート
【図５】遊技情報表示装置の動作を説明するためのタイミングチャート
【図６】遊技情報表示装置の動作を説明するためのタイミングチャート
【発明を実施するための形態】
【００２４】
以下、図面を参照しながら本発明の実施形態を説明する。以下の好ましい実施形態の説明は、本質的に例示に過ぎず、本発明、その適用範囲あるいはその用途を制限することを意図するものではない。
【００２５】
図１Ａ及び図１Ｂは実施形態に係る遊技情報表示装置６の使用状態を示すイメージ図である。図１Ａは、遊技機７の前扉７２が閉扉された状態を示しており、図１Ｂは、遊技機７の前扉７２が開扉された状態を示している。
【００２６】
パチンコホール等の遊技場には、遊技場の管理を行うための管理コンピュータ１と、管理コンピュータ１と双方向通信可能に接続された中継ユニット２と、遊技場の通路に沿って遊技機ユニット４が横並びに配置された遊技島Ｇとが設けられている。
【００２７】
中継ユニット２は、例えば、単一のハブで構成されたり、複数のハブを階層的に接続された構成になっている。
【００２８】
遊技機ユニット４は、遊技機７（例えば、パチンコ機、パチスロ機）と、遊技情報を表示するための遊技情報表示装置６とを備えている。図１Ａ及び図１Ｂでは、遊技機７としてパチンコ機を例示している。ただし、本開示の遊技情報表示装置６は、パチンコ機に限定されるものではなく、パチスロ機に対しても同じ構成のものを同様に適用することができる。
【００２９】
遊技機７は、遊技機本体７１と、遊技機本体７１の前側に設けられた前扉７２とを備えている。
【００３０】
前扉７２は、前表面に設けられた透過性を有する前板を介して盤面が見えるように構成されている。本実施形態では、遊技者と対向する側、すなわち、遊技者に近い側を「前」、遊技者と遠い側（離れている側）を「後」とする。また、前後方向及び上下方向と直交する方向を横方向とする。なお、遊技機７には、従来から知られている構成を適用することができるので、具体的構成の図示を省略するとともに、その詳細説明を省略する場合がある。
【００３１】
前扉７２は、その横方向の一方の端部を支軸（図示省略）にして、閉扉位置と開扉位置との間で回動できるように、遊技機本体７１に支持されている。
【００３２】
前扉７２は、閉扉位置において、従業者が所有する台鍵での施錠／開錠が可能に構成された鍵ロック機構、及び、後述するワイヤーロック装置３により、開扉方向への回動が規制されている。すなわち、前扉７２は、閉扉位置において、２重にロックがかかっている（移動規制されている）状態になっており、鍵ロック機構及びワイヤーロック装置３による移動規制が解除されると、手動での開閉操作が可能になる。
【００３３】
図１Ｂに示すように、遊技機本体７１内側の前寄りの位置で、かつ、前扉の開閉動作に邪魔にならない位置に、ワイヤーロック装置３が取り付け固定されている。ワイヤーロック装置３は、例えば、遊技機本体７１の支柱や、遊技島Ｇの支柱等にねじ止め等により固定されている。ワイヤーロック装置３は、装置本体３１を備え、装置本体３１には、ワイヤー３２及びワイヤー３２を巻き取るためのモータ（図示省略）が内蔵されている。ワイヤー３２の基端は、例えば、モータによって駆動される巻き付け具（図示省略）に固定されている。また、ワイヤー３２の先端には、取付金具３３が設けられていて、この取付金具３３が、遊技機７の前扉７２の裏面等にねじ止め等により固定される。そして、ワイヤーロック装置３は、所定の印加電圧（例えば、ＤＣ電圧）が供給されるとワイヤーが引き出し可能となる一方で、印加電圧が供給されないとワイヤーの引き出しが規制されるように構成されている。これにより、ワイヤーロック装置３に所定の印加電圧を与えるか否かを切り替えることで、ワイヤー３２を所定の長さ位置でロックさせることができ、ひいては、遊技機７の前扉７２を所定の位置以上に開かないようにロックさせることができる。
【００３４】
なお、ワイヤーロック装置３には、従来から知られている構成を適用することができるので、具体的構成の図示を省略するとともに、その詳細説明を省略している。
【００３５】
図２に示すように、遊技情報表示装置６は、通信部６１と、制御部６２と、記憶部６３と、電圧供給部６４と、操作入力部６５と、表示部６６とを備えている。
【００３６】
通信部６１は、図示しない入出力ボックス及び中継ユニット２を介して、管理コンピュータ１や遊技機７との間で情報通信をする機能を有する。具体的に、通信部６１は、管理コンピュータ１から表示部６６に表示させる情報を受け取ったり、管理コンピュータ１から受けた指示または自機内での処理に基づいて、管理コンピュータ１に遊技情報や呼出情報を送信したりする。また、通信部６１は、ホールスタッフＰ（従業者に相当）が所持しているリモコン８１から送られてくるロック解除信号Ｓ１等の無線信号を受信できるように構成されている。通信部６１に受信された情報は、制御部６２を介して記憶部６３に格納される。
【００３７】
電圧供給部６４は、制御部６２の制御を受けて、所定の印加電圧信号ＶＣを出力端子（図示省略）から出力する。出力された印加電圧信号ＶＣは、例えば、外部のワイヤーロック装置３に供給され、ワイヤーロック装置３のワイヤーロックの解除に使用される。
【００３８】
図３に示すように、操作入力部６５は、正面視において、遊技情報表示装置６の左下端部に設けられ、遊技場のホールスタッフＰを呼び出すための呼出ボタン６５ａと、遊技情報表示装置６の右下端部に設けられ、表示部６６の表示画面６６ａ，６６ｂの表示内容を切り替えるためのデータボタン６５ｂとを備えている。
【００３９】
表示部６６は、遊技情報表示装置６の前側（遊技者に見える側）に設けられており、表示画面６６ａ，６６ｂを有する。表示部６６は、制御部６２の制御を受けて、表示画面６６ａ，６６ｂに遊技情報を表示する。さらに、表示部６６は、制御部６２の制御を受けて、遊技機７から前扉７２が開扉されていることを示す開扉入力信号Ｓ２を受けた場合に、前扉７２が開扉状態であることを表示画面６６ａ，６６ｂに表示する。ここで、「遊技情報」とは、遊技に関する情報の総称であるものとし、例えば、遊技機に関する遊技機情報、遊技場に関する遊技場情報が含まれる。
【００４０】
制御部６２は、例えば、マイクロコンピュータで構成され、例えば、記憶部６３に記憶されたプログラムに基づいて、遊技情報表示装置６全体の動作を制御する。
【００４１】
例えば、制御部６２及び通信部６１は、開扉通知部としての機能を有している。制御部６２は、自機が接続された遊技機７（以下、対象遊技機７という）から開扉入力信号Ｓ２を受けた場合に、開扉入力信号Ｓ２に基づいて、前扉の開扉を通知する開扉通知信号Ｓ３を出力する。制御部６２から出力された開扉通知信号Ｓ３は、通信部６１を介して外部に出力され、中継ユニット２を経由して管理コンピュータ１に送られる。
【００４２】
管理コンピュータ１で開扉通知信号Ｓ３が受信されると、前扉７２が開扉された遊技機７として、対象遊技機７の台番号等の情報（以下、開扉遊技機情報という）がインカム９等を介してホールスタッフＰに共有される。
【００４３】
また、例えば、制御部６２及び通信部６１は、無効化処理部としての機能を有している。制御部６２は、開扉入力信号Ｓ２とあわせて、リモコン８１からロック解除信号Ｓ１を受けた場合、所定の無効期間Ｔｗ（以下、単に無効期間Ｔｗという）の間、開扉通知信号Ｓ３を無効化させる処理である無効化処理を行う。なお、無効期間Ｔｗの長さは、任意に設定することが可能である。また、無効期間Ｔｗは、あらかじめ設定されて記憶部６３等に格納されていてもよいし、外部のリモコン８１や管理コンピュータ１等から設定できるようにしてもよい。
【００４４】
ここで、「無効化処理」は、開扉通知信号Ｓ３を無効化させる処理であればよく、その具体的な方法は、特に限定されるものではない。以下において、図４及び図５のタイミングチャートを用いて具体例を示す。
【００４５】
−無効化処理（１）−
まず、制御部６２が、無効期間Ｔｗの間、管理コンピュータ１への開扉通知信号Ｓ３の出力を停止させる無効化処理について、図４を参照しつつ、全体の流れを通して具体的に説明する。なお、図４において、各信号及びフラグは、ハイ（ＨＩＧＨ）アクティブであるものとする。
【００４６】
図４の時刻ｔ１では、ホールスタッフＰの操作を受けたリモコン８１から遊技情報表示装置６にロック解除信号Ｓ１が送られる。すなわち、ロック解除信号Ｓ１が「ＨＩＧＨ」になる。ロック解除信号Ｓ１を受けた制御部６２は、電圧供給部６４を介して、ワイヤーロック装置３に印加電圧信号ＶＣを出力する。これにより、ワイヤーロック装置３のロック状態が解除されて、ホールスタッフＰが対象遊技機７の鍵を開けて、前扉７２を開くことができる状態になる。また、制御部６２では、開扉通知信号Ｓ３の出力を停止させる期間を示す開扉通知停止フラグを「ＨＩＧＨ」にする。制御部６２は、その後、無効期間Ｔｗの間（時刻ｔ１からｔ３までの間）、開扉通知停止フラグを「ＨＩＧＨ」状態にする。
【００４７】
時刻ｔ２では、ホールスタッフＰが対象遊技機７の前扉７２を開扉したものとする。そうすると、開扉入力信号Ｓ２が「ＨＩＧＨ」になる。前述のとおり、制御部６２は、開扉入力信号Ｓ２が「ＨＩＧＨ」になると、開扉通知信号Ｓ３を出力する、すなわち、「ＨＩＧＨ」にするように構成されている。しかしながら、開扉通知停止フラグが「ＨＩＧＨ」なので、制御部６２は、開扉通知信号Ｓ３が「ＬＯＷ」の状態（通知されない状態）を維持する。
【００４８】
時刻ｔ２１（ｔ２＜ｔ２１＜ｔ３）において、ホールスタッフＰの作業が終わって対象遊技機７の前扉７２が閉じられると、開扉入力信号Ｓ２が「ＬＯＷ」になる。
【００４９】
そして、無効期間Ｔｗが終了する時刻ｔ３において、開扉通知停止フラグが「ＬＯＷ」となるが、開扉入力信号Ｓ２も「ＬＯＷ」であるため、通信部６１から管理コンピュータ１に開扉通知信号Ｓ３が送られない。したがって、ホールスタッフＰに対しても対象遊技機７の開扉遊技機情報が通知されない。
【００５０】
このように、遊技情報表示装置６では、リモコン８１（外部に相当）からロック解除信号Ｓ１を受けた場合、すなわち、ホールスタッフＰが開扉している場合に、所定の無効期間Ｔｗの間、開扉通知信号Ｓ３を出力しないようにしている。すなわち、開扉通知信号Ｓ３を無効化させるようにしている。これにより、管理コンピュータ１に対して、ホールスタッフＰによる対象遊技機７の前扉７２の開扉は通知されず、他のホールスタッフＰや管理者等の従業者に対して誤った不正情報が伝達されるのを防ぐことができる。
【００５１】
さらに、遊技情報表示装置６では、無効期間Ｔｗが経過した後は、開扉通知停止フラグを「ＬＯＷ」状態にしている。これにより、無効期間Ｔｗ経過後は、「対象遊技機７の前扉７２が開扉された場合、遊技情報表示装置６から管理コンピュータ１に開扉通知信号Ｓ３が出力される」という状態に戻すことができる。例えば、図４の破線で示すように、遊技情報表示装置６は、時刻ｔ３１（ｔ３１＞ｔ３）に開扉入力信号Ｓ２が入力された場合には、開扉通知信号Ｓ３を出力するので、ホールスタッフＰに開扉遊技機情報が伝達される。これにより、セキュリティの低下を防ぐことができる。例えば、リモコン８１の誤操作によりロック解除信号Ｓ１が送られてきた場合等のように、意図しない状態でロック解除状態が設定されている場合に、その後に解除されない状態が長期間にわたって継続するような事態を回避することができる。
【００５２】
なお、上記の説明において、対象遊技機７の前扉７２が時刻ｔ２１で閉扉されずに、時刻ｔ３の経過後、すなわち、無効期間Ｔｗの経過後も開いていた場合の処理に関し、（１）所定の無効期間Ｔｗの経過後に開扉通知信号の無効化処理を解除してもよいし、（２）所定の無効期間Ｔｗ中に開扉された場合には無効期間Ｔｗ経過後も開扉通知信号の無効化処理を継続させるとしてもよい。
【００５３】
−無効化処理（２）−
次に、制御部６２が、開扉通知信号Ｓ３に加えて、無効期間Ｔｗの間、開扉通知信号Ｓ３が無効であることを示す無効化信号Ｓ４を出力する無効化処理について図５を参照しつつ、全体の流れを通して具体的に説明する。なお、図５において、図４と共通の要素には、同じ名称や符号を付している。また、「無効化処理（１）」との相違点を中心に説明するものとし、共通部分について説明を省略する場合がある。
【００５４】
図５の時刻ｔ１において、制御部６２は、ロック解除信号Ｓ１を受けて、ワイヤーロック装置３に印加電圧信号ＶＣを出力するとともに、管理コンピュータ１に開扉通知信号Ｓ３が無効であることを示す無効化信号Ｓ４を出力する。無効化信号Ｓ４は、無効期間Ｔｗの間（時間ｔ１から時間ｔ３までの間）、出力される。
【００５５】
時間ｔ２では、制御部６２は、開扉入力信号Ｓ２に基づいて、開扉通知信号Ｓ３を出力する、すなわち、開扉通知信号Ｓ３を「ＨＩＧＨ」にする。制御部６２から出力された開扉通知信号Ｓ３及び無効化信号Ｓ４は、通信部６１を介して外部に出力され、中継ユニット２を経由して管理コンピュータ１に送られる。これにより、管理コンピュータ１において、無効化信号Ｓ４が送られている無効期間Ｔｗの間、ホールスタッフＰに対して対象遊技機７の開扉遊技機情報を通知しないようにすることができる。これにより、従業者に対して誤った不正情報が伝達されるのを防ぐことができる。
【００５６】
時刻ｔ２１（ｔ２＜ｔ２１＜ｔ３）において、ホールスタッフＰの作業が終わって対象遊技機７の前扉７２が閉じられると、開扉入力信号Ｓ２及び開扉通知信号Ｓ３が「ＬＯＷ」になる。
【００５７】
−無効化処理（３）−
次に、無効期間中に、制御部６２が、リモコン８１（外部に相当）から対象遊技機７の前扉７２をロック状態に戻すことを示す扉ロック信号Ｓ５を受けた場合の処理について説明する。
【００５８】
具体的に、制御部６２は、開扉通知信号Ｓ３を無効化させる処理を解除する処理を行う。以下、図６を参照しつつ、全体の流れを通して具体的に説明する。なお、図６において、図４と共通の要素には、同じ名称や符号を付している。また、「無効化処理（１）」との相違点を中心に説明するものとし、共通部分について説明を省略する場合がある。
【００５９】
図６の時間ｔ１では、図４の場合と同様に、制御部６２は、ワイヤーロック装置３に印加電圧信号ＶＣを出力するとともに、開扉通知停止フラグを「ＨＩＧＨ」にする。
【００６０】
時刻ｔ２において、ホールスタッフＰが対象遊技機７の前扉７２を開扉すると、開扉入力信号Ｓ２が「ＨＩＧＨ」になるが、開扉通知停止フラグが「ＨＩＧＨ」なので、開扉通知信号Ｓ３は、「ＬＯＷ」の状態（通知されない状態）を維持する。
【００６１】
時刻ｔ２２（ｔ２＜ｔ２２＜ｔ３）において、ホールスタッフＰの作業が終わって対象遊技機７の前扉７２が閉じられると、開扉入力信号Ｓ２が「ＬＯＷ」になる。
【００６２】
その後、時刻ｔ２３（ｔ２３＜ｔ３）では、作業が終わったホールスタッフＰがリモコン８１を操作し、リモコン８１から遊技情報表示装置６に、前扉をロック状態にさせることを示す扉ロック信号Ｓ５が送信されたものとする。すなわち、扉ロック信号Ｓ５が「ＨＩＧＨ」になったものとする。
【００６３】
扉ロック信号Ｓ５を受けた制御部６２は、電圧供給部６４からワイヤーロック装置３に出力していた印加電圧信号ＶＣを停止する。これにより、ワイヤーロック装置３が再びロックされることで、対象遊技機７の前扉７２がロックされた状態になる。また、制御部６２では、無効期間Ｔｗの間であっても、開扉通知停止フラグを「ＬＯＷ」にする。これにより、「対象遊技機７の前扉７２が開扉された場合、遊技情報表示装置６から管理コンピュータ１に開扉通知信号Ｓ３が出力される」という状態に戻される。
【００６４】
したがって、例えば、時刻ｔ２３以降の時刻ｔ２４（ｔ２４＞ｔ２３）において、不正遊技者が何らかの方法を用いて対象遊技機７の前扉７２を開いた場合に、遊技情報表示装置６に開扉入力信号Ｓ２が入力されると、無効期間が経過する前であっても、制御部６２から管理コンピュータ１に開扉通知信号Ｓ３が出力される。そうすると、管理コンピュータ１もくしは管理スタッフからホールスタッフに対象遊技機７の開扉遊技機情報が伝達され、ホールスタッフＰが不正遊技者を捕獲することができる。
【００６５】
以上のように、制御部６２が、ホールスタッフＰの操作を受けたリモコン８１から扉ロック信号Ｓ５を受信したときに、開扉通知信号を無効化させる処理を解除することで、再び開扉通知信号を出力するようになる。これにより、不正情報が適切に通知される状態に戻すことができ、セキュリティの低下を防ぐことができる。
【００６６】
なお、上記の実施形態では、遊技機７にワイヤーロック装置３が取り付けられているものとしたが、本開示の技術は、ワイヤーロック装置３が取り付けられていない遊技機ユニット４とともに設置された遊技情報表示装置６に対しても適用することができる。この場合においても、例えば、ホールスタッフＰが遊技機７の前扉７２を開く前に、リモコン８１から遊技情報表示装置６にロック解除信号Ｓ１を送るように運用したり、ロック解除信号Ｓ１に連動した鍵を用いることで、上記実施形態と同様の効果を得ることができる。
【産業上の利用可能性】
【００６７】
本発明に係る遊技情報表示装置は、従業者に誤った不正情報が伝達されにくくすることができるので、極めて有用で産業上の利用可能性は高い。
【符号の説明】
【００６８】
６  遊技情報表示装置
７  遊技機
７２  前扉
Ｓ１  ロック解除信号
Ｓ２  開扉入力信号
Ｓ３  開扉通知信号
Ｓ４  無効化信号
Ｓ５  扉ロック信号
ＶＣ  印加電圧信号
【図１Ａ】
2020058477.tif 000003
【図１Ｂ】
2020058477.tif 000004
【図２】
2020058477.tif 000005
【図３】
2020058477.tif 000006
【図４】
2020058477.tif 000007
【図５】
2020058477.tif 000008
【図６】
2020058477.tif 000009